(57)【特許請求の範囲】
【請求項１】
戸枠の上縁に設けられたガイドレール内を走行するガイドローラを有するランナー部材と、戸板の上端角部に固定される戸板取付部材と、前記ランナー部材と前記戸板取付部材とを連結する支軸と、を備えた建具用ランナーであって、
前記ガイドレールに設けられ開戸側から閉戸側に向かって下降傾斜する下向きのガイド面を有する傾斜板と、
前記ランナー部材に設けられたダンパと、
中間部が前記ランナー部材に軸支され、一端が上方に突出すると共に他端が前記ダンパに当接するレバーと、
を含む減速機構を有し、
前記戸板が閉じる際には前記レバーの上方に突出した一端が前記傾斜板の前記ガイド面に当接し傾斜に沿って下方に案内されることで該レバーが揺動し、これに伴って前記レバーの他端が前記ダンパを押動し、前記ダンパの緩衝作用により戸板の閉速度が減速される、
ことを特徴とする、建具用ランナー。
【請求項２】
前記ガイドレール内において前記ランナー部材の開戸側端部に連結され前記戸板の閉動作中に前記戸板を閉じる方向に付勢するスライドアシスト機構を備えた、請求項１に記載の建具用ランナー。
【請求項３】
前記スライドアシスト機構は、
前記傾斜板の開戸側端部に設けられた係合突起と、
前記戸板の上縁に沿って前記ランナー部材の開戸側端部に連結されて設けられ、上側が開いた樋形状であって両側部にガイドスリットを有すると共に底部に係合部を有する樋状部材と、
両側に突出したガイド軸が前記ガイドスリットに嵌入した状態で前記樋状部材内を褶動可能に設けられ、前記樋状部材の係合部に係合することでロックされる一方、前記係合突起に係合することにより揺動しこのロックが解除されるロック部材と、
一端が前記樋状部材の開戸側端に接続され他端が前記ロック部材に接続された引張りばねと、を備え、
前記戸板が閉じる際には、前記ロック部材が前記係合突起と係合することで前記ロック部材のロックが解除され、前記樋状部材が前記引張りばねに弾性復帰力により閉戸方向に移動することに伴って前記戸板を閉じる方向に付勢する、請求項２に記載の建具用ランナー。
【請求項４】
前記係合突起は金属製であり、前記傾斜板は樹脂製であって、前記係合突起は前記傾斜板の閉戸側部分に対して継合された、請求項３に記載の建具用ランナー。
【請求項５】
前記戸板取付部材と前記ダンパとの間にスタビライザーが備えられ、
前記スタビライザーは、中程が前記ランナー部材に軸支され、上端が前記ダンパに当接すると共に下端は前記戸板取付部材の上面に当接し、
前記戸板が閉じる際には、前記上端が前記ダンパにより押圧され、前記スタビライザーが揺動することで前記下端が前記戸板取付部材の上面を押圧する、
請求項１から４のいずれかに記載の建具用ランナー。
【請求項６】
前記ランナー部材は、前記ダンパを収容する収容部の前記ダンパに垂直な断面形状が下に開いたＵ字形である、請求項１から５のいずれかに記載の建具用ランナー。
【発明の詳細な説明】
【技術分野】
【０００１】
本発明は、吊り戸タイプの戸板を閉じる際に全閉状態になる手前よりブレーキ力を働かせて戸板を緩やかに閉じる建具用ランナーに関するものである。
【背景技術】
【０００２】
戸板を勢いよく閉じると、戸板が枠体に激しく当たって大きな音を発し、また危険でもある。そこで、従来、このようなことを防止するために戸板にブレーキをかけることが行われている。
【０００３】
例えば、吊り戸タイプの戸板を閉じる際に全閉状態になる手前よりブレーキ力を働かせて戸板を緩やかに閉じる、戸板用スライドアシスト装置やソフトクローザが知られている（特許文献１，２参照)。
【０００４】
特許文献１に開示されている戸板のスライドアシスト装置は、戸板を閉じていくと、全閉状態になる手前で引張ばねを引張状態に保持しているロックが外れ、引張ばねが縮む力が戸板を閉じるためのアシスト力になり、このときブレーキが機能し戸を緩やかに閉じることができるものである。
【０００５】
特許文献２に開示されているソフトクローザは、戸板を閉鎖する直前に戸板に備えたロータリーダンパが機能し閉戸速度を減速するものである。
【先行技術文献】
【特許文献】
【０００６】
【特許文献１】特開２００５−３５０９１２号公報
【特許文献２】特開２００６−１１２１１５号公報
【発明の概要】
【発明が解決しようとする課題】
【０００７】
特許文献１に記載された戸板のスライドアシスト装置は、ブレーキ機能とクローザ機能とが１つのダンパ部材に集約されたメカニカル機構で構成されているため、ダンパ部材が長尺になると共にコストがかかる。また特許文献２に記載されたソフトクローザは、構造が複雑で加工度が高い精密部品を多数必要とし、製作コストが嵩む。
【０００８】
本発明は、吊り戸タイプの戸板を閉じる際に全閉状態になる手前よりブレーキ力を働かせて戸板を緩やかに閉じるブレーキ機能を簡素な構成で備え、 製作コストを低減することができる建具用ランナーを提供することを目的としている。
【課題を解決するための手段】
【０００９】
上記目的を達成するため、本発明の建具用ランナーは、戸枠の上縁に設けられたガイドレール内を走行するガイドローラを有するランナー部材と、戸板の上端角部に固定される戸板取付部材と、ランナー部材と戸板取付部材とを連結する支軸と、を備えたものであって、ガイドレールに設けられ開戸側から閉戸側に向かって下降傾斜する下向きのガイド面を有する傾斜板と、ランナー部材に設けられたダンパと、中間部がランナー部材に軸支され、一端が上方に突出すると共に他端がダンパに当接するレバーと、を含む減速機構を有し、戸板が閉じる際にはレバーの上方に突出した一端が傾斜板のガイド面に当接し傾斜に沿って下方に案内されることでレバーが揺動し、これに伴ってレバーの他端がダンパを押動し、ダンパの緩衝作用により戸板の閉速度が減速される、ことを特徴とする。
【００１０】
この構成によれば、吊り戸タイプの戸板を閉じる際に、減速機構を構成するレバーの上方に突出した一端が傾斜板の下向きのガイド面に当接案内されて揺動し、レバーの他端がダンパを押動し、ダンパの緩衝作用により戸板の閉速度が減速されるから、全閉状態になる手前よりブレーキ力を働かせて戸板を緩やかに閉じることができる。
【００１１】
本発明の建具用ランナーは、ガイドレール内においてランナー部材の開戸側端部に連結され戸板の閉動作中に戸板を閉じる方向に付勢するスライドアシスト機構を備えていることが望ましい。
【００１２】
この構成によれば、ブレーキ機能と共に、戸板を緩やかに閉じる動作の中程で戸板を閉じるアシスト力を働かせる機能を備え、これらを実現するためのソフトクローズ機構とスライドアシスト機構を別体構造とすることができるため、シンプルな構造となると共に汎用部品を利用することができ、製作コストが低減できる。
【００１３】
スライドアシスト機構は、傾斜板の開戸側端部に設けられた係合突起と、戸板の上縁に沿ってランナー部材の開戸側端部に連結されて設けられ、上側が開いた樋形状であって両側部にガイドスリットを有すると共に底部に係合部を有する樋状部材と、両側に突出したガイド軸がガイドスリットに嵌入した状態で樋状部材内を褶動可能に設けられ、樋状部材の係合部に係合することでロックされる一方、係合突起に係合することにより揺動しこのロックが解除されるロック部材と、一端が樋状部材の開戸側端に接続され他端がロック部材に接続された引張りばねと、を備え、戸板が閉じる際には、ロック部材が係合突起と係合することでロック部材のロックが解除され、樋状部材が引張りばねに弾性復帰力により閉戸方向に移動することに伴って戸板を閉じる方向に付勢する構成であることが望ましい。
【００１４】
この構成によれば、戸板を緩やかに閉じる動作中に、ロック部材が係合突起に当接して揺動し、樋状部材に対するロックが解除され、樋状部材が引張りばねに弾性復帰力により閉戸方向に移動することに伴って戸板を閉じるというシンプルな構造でアシスト機能を備えることができる。
【００１５】
本発明の建具用ランナーは、係合突起が金属製であり、傾斜板が樹脂製であって、係合突起が傾斜板の閉戸側部分に対して継合された構成であることが望ましい。
【００１６】
この構成によれば、コストがかかる金属部分は強度を必要とする係合突起のみとし、他の長尺で肉厚になる部分を樹脂製とすることにより、全体として製作コストを抑制できる。
【００１７】
本発明の建具用ランナーは、前記戸板取付部材とダンパとの間にスタビライザーが備えられ、スタビライザーは、中程がランナー部材に軸支され、上端がダンパに当接すると共に下端は前記戸板取付部材の上面に当接し、戸板が閉じる際には、上端がダンパにより押圧され、スタビライザーが揺動することで下端が前記戸板取付部材の上面を押圧する構成であることが望ましい。
【００１８】
吊り戸タイプの戸板を閉じる際に減速機構が機能すると、慣性により戸板が閉戸側へ揺動し戸板を固定しているランナー部材を跳ね上がらせる力が生じるところ、この構成によれば、 スタビライザーがダンパにより押圧されて揺動し、その下端が軸受部の上面を押圧するため、戸板の跳ね上がりを抑えることができる。
【００１９】
本発明の建具用ランナーに係るランナー部材は、ガイドレール内の狭い空間内に収容されなければならないため外形サイズが抑えられており、これに加えて、内部にダンパを収容する構成なので、肉厚が小さくなり、断面積が小さい形状でダンパの伸張抵抗力に対する反力を負担する役目を果たす部材である。
このため、本発明の建具用ランナーに係るランナー部材は、ダンパを収容する収容部のダンパに垂直な断面形状が下に開いたＵ字形であることが望ましい。
【００２０】
ダンパの伸張抵抗力に対する反力を負担することによってランナー部材の上半分には圧縮応力がかかり、また下半分には引張応力がかかるが、この構成によれば、断面形状が下に開いたＵ字形であることによって、圧縮応力がかかる上側のランナー部材の断面係数が大きくなるため、折り曲げ強度が確保され、ランナー部材の耐久性を確保することができる。
【発明の効果】
【００２１】
本発明によれば、吊り戸タイプの戸板を閉じる際に全閉状態になる手前よりブレーキ力を働かせて戸板を緩やかに閉じる機能を備えた建具用ランナーを低コストで提供することができる。
【図面の簡単な説明】
【００２２】
【図１】本発明の実施形態にかかる建具用ランナーを示す縦断面正面図である。
【図２】図１の建具用ランナーの分解斜視図である。
【図３】図１におけるIII-III矢視図である。
【図４】図２に示すランナー部材における長手方向中央部の輪切り断面図である。
【図５】図２に示す係止部材の斜視図である。
【図６】図２に示すロック部材のスライド支軸の軸線を通る縦断面図である。
【図７】図１の建具用ランナーの閉戸動作中の減速開始時の状態を示す縦断面正面図である。
【図８】図１の建具用ランナーの閉戸動作中の減速途中時の状態を示す縦断面正面図である。
【図９】図１の建具用ランナーの閉戸動作中の減速途中で閉戸アシストが開始する前の状態を示す縦断面正面図である。
【図１０】図１の建具用ランナーの開戸途中の減速終了間際の状態を示す縦断面正面図である。
【発明を実施するための最良の形態】
【００２３】
以下、本発明の実施形態の建具用ランナーについて図面を参照して説明する。
〔基本的構成〕
図１，図２，図３に示すように、この実施形態の建具用ランナー１は、戸枠Ｆの上縁に設けられたガイドレールＲ内を走行するガイドローラ２を有するランナー部材３と、戸板Ｄの上端角部に固定される戸板取付部材４と、ランナー部材３と戸板取付部材４とを連結する支軸５と、を備えている。
【００２４】
〔連結距離調整機構〕
建具用ランナー１は、ランナー部材３と戸板取付部材４との連結距離を調整する連結距離調整機構を備えている。連結距離調整機構は、支軸５によるランナー部材３と戸板取付部材４との連結距離を調整するために備えられるものであって戸板取付部材４に内蔵されているが、ここでは詳しく図示しない。
【００２５】
〔減速機構〕
図１に示すように、建具用ランナー１は減速機構Ａを備えている。この減速機構Ａは、ガイドレールＲに設けられた傾斜板６と、ランナー部材３を長尺にしてランナー部材３の開閉方向両端のガイドローラ２，２間に位置してランナー部材３内に設けられたダンパ７と、中間部が支軸１７を介してランナー部材３に軸支され、一端が上方に突出すると共に他端がダンパ７に当接するレバー８と、を含む。
この実施形態のダンパ７には市販されている周知のオイルダンパが使用される。ダンパ７の構成は、例えば、シリンダと、ピストンと、シリンダ内の一方のシリンダ室から他方のシリンダ室へ流動するオイルと、オイルの流動を絞る液路と、ピストンを外方へ付勢する図示しないばねと、からなる。ダンパの硬さにより減速のかかる強さを調節することができる。
【００２６】
図１に示すように、傾斜板６は、本体部６ａと開戸寄り小片部６ｂとからなり、本体部６ａと開戸寄り小片部６ｂとにわたり開戸側から閉戸側に向かって下降傾斜する下向きのガイド面６ｃを有する。本体部６ａは、耐久性，表面の平滑性を有する合成樹脂製で長尺体であり、タッピンねじ１４でガイドレールＲの上面部を挟んで戸枠Ｆに固定されている。開戸寄り小片部６ｂは、防錆性，剛性を有する金属製の短尺体であり、開戸側端部が本体部６ａに対し下側から組手状に重なりかつ突起と孔とで雌雄嵌合された組手接続部を有し、該組手接続部を除く部分がガイドレールＲの上面部に設けられた開口に嵌合されタッピンねじ１５で戸枠Ｆに固定されている。 このように、係合突起９は傾斜板６の本体部６ａに継合された開戸寄り小片部６ｂに一体に形成された構成であるので、コストがかかる金属製部分を強度を必要とする係合突起９のみとして小片に抑え、全体として製作コストを低く抑制できる。傾斜板の長さによって減速のかかる距離を定めることができる。
【００２７】
レバー８は、中心部両側に突出した支軸１７を挟んで１５０度程度開いた屈折棒状であり、一端には傾斜板６の下向きのガイド面６ｃに当接するローラーであるカムフォロア８ａを備え、他端にダンパ７に当接するローラーであるカムフォロア８ｂを備える。レバー８の一端側及び他端側の支軸１７からカムフォロア８ａ及び８ｂまでの長さによって減速のかかる強さを調節することができる。
【００２８】
ランナー部材３は、ガイドレールＲ内の狭い空間内に収容されなければならないため外形サイズが抑えられており、これに加えて、内部に後述するダンパ７を収容する構成であるため肉厚が小さいことが好ましく、断面積が小さい形状でダンパ７の伸張抵抗力に対する反力を負担する部材である。
このため、図４に示すように、ランナー部材３は、ダンパ７を収容する収容部３ａのダンパ７に垂直な断面形状が下に開いたＵ字形であり、外側には縦横にリブ３ｂがあり、ダンパ７を下側から収容部３ａに収容して蓋１６で閉じる構成となっている。ランナー部材３は、ダンパ７の伸張抵抗力に対する反力を負担することにより、長尺方向に対し垂直断面の上半分には圧縮応力がかかり、また下半分には引張応力がかかることになるが、断面形状が下に開いたＵ字形であることによって、圧縮応力がかかる上側のランナー部材３の断面係数が大きくなるので、曲げ強度が確保され、十分な耐久性が得られる。
【００２９】
この減速機構Ａの機能について説明する。戸板Ｄを閉じる際には、減速機構Ａを構成するレバー８の一端に備えられたカムフォロア８ａが傾斜板６の下向きのガイド面６ｃに当接案内されて下降する。これに伴ってレバー８が揺動し、レバー８の他端に備えられたカムフォロア８ｂがダンパ７を押動し、ダンパ７の緩衝作用により戸板Ｄの閉速度が減速される。このように、全閉状態になる手前よりブレーキ力を働かせて戸板Ｄを緩やかに閉じることができる。
【００３０】
〔スライドアシスト機構〕
図１に示すように、建具用ランナー１はスライドアシスト機構Ｂを備えている。このスライドアシスト機構Ｂは、傾斜板６を構成している開戸寄り小片部６ｂの戸板幅方向の両側に一体に形成されている係合突起９と、ガイドレールＲ内に収容され閉戸側端部がランナー部材３の開戸側端部に連結ピン１８で連結され開戸側端部に備えたガイドローラ２Ａによって支持される樋状部材１０と、樋状部材１０の両側部１０ａに設けられたガイドスリット１０ｂに係合案内されるロック部材１１と、一端が樋状部材１０の開戸側端のばね係止部１０ｅに係止され他端がロック部材１１のガイド軸１１ｅに係止された引張ばね１２と、を備えている。引張バネ１２のストロークの長さによってスライドアシストを行う距離を定めることができる。
【００３１】
図５に示すように、 係合突起９は開戸寄り小片部６ｂの先端に設けられたブロック状の突起である。係合突起９は図５に示すように幅方向に二股になっている。後述するようにこの二股の間をカムフォロア８ａが通過するため、係合突起９とレバー８とが干渉しない。
【００３２】
樋状部材１０は、上側が開いた樋形状であって両側部１０ａにガイドスリット１０ｂを有すると共に底部１０ｃの閉戸端寄りに孔状の係合部１０ｄを有する。
【００３３】
図１，図６に示すように、ロック部材１１は、開戸側の略半分がフォークエンド１１ａであり、このフォークエンド１１ａを串刺し状に貫通しているガイド軸１１ｅの両端部が樋状部材１０の両側部１０ａに設けられたガイドスリット１０ｂに係合案内される。ロック部材１１は、開戸側の残り半分の下端部が樋状部材１０の係合部（孔）１０ｄに落ち込み係合するロック部１１ｂを有すると共に、係合突起９に係合する上端閉戸側係合部１１ｃ及び上端開戸側係合部１１ｄを有する。
【００３４】
ロック部材１１は、閉戸動作における全閉の手前で及び全閉状態からの閉戸動作における少し開戸した時点で、上端閉戸側係合部１１ｃと上端開戸側係合部１１ｄとが係合突起９を挟む位置になり、一方が係合突起９に当接及び押動することでロック部材１１が揺動し、ロック部１１ｂと係合部１０ｄとの係合又は解離を行う。これによって、ロック部材１１は、引張ばね１２が延びた状態においてロック部材１１と樋状部材１０とのロックが行われ、またはロック部材１１と樋状部材１０とのロックが解除されて引張ばね１２の縮んでいく復元力で樋状部材１０が閉戸方向に移動する。
【００３５】
スライドアシスト機構Ｂは、減速機構Ａと分離して構成され、減速機構Ａと接続された構成なので、各機構を簡易に製作することができ、これらの機構を一体的に備えたダンパなどを利用する必要がないため、コストが低減できる。
【００３６】
〔スタビライザー〕
図１，図２，図３に示すように、建具用ランナー１は、ランナー部材３における戸板取付部材４とダンパ７との間にスタビライザー１３を備えている。このスタビライザー１３は、中程がランナー部材３に支軸１９を介して軸支され、上端１３ｂがダンパ７のピストン７ａに当接すると共に支軸５を避けて両側に水平に二股に延びた下端である二股アーム部１３ａを有し、この二股アーム部１３ａが戸板取付部材４の上面に当接する。戸板Ｄが閉じる際には、上端１３ｂがダンパ７により押圧され、スタビライザー１３が揺動することで二股アーム部１３ａが戸板取付部材４の上面を押圧する。
【００３７】
吊り戸タイプの戸板Ｄを閉じる際に、減速機構Ａが機能すると、建具用ランナー１は戸板Ｄが閉戸側へ揺動し戸板Ｄを固定しているランナー部材３を跳ね上がらせる力が生起するが、上述のようにスタビライザー１３を備えていることにより、ダンパ７により押圧され揺動するスタビライザー１３の下端が戸板取付部材４の上面を押圧し戸板Ｄの跳ね上がりを抑えることができる。
【００３８】
続いて、上記のように構成された建具用ランナー１の動作について説明する。
人力により建具用ランナー１を全開状態から閉戸してきて、戸枠Ｆと戸板Ｄとの開戸寸法が例えば１７０ｍｍになるときの各部品の位置関係を図７に示す。この状態では、レバー８の上端のカムフォロア８ａが係合突起９に対応する位置に来るので、減速開始の直前状態にある。係合突起９は二股に垂下しており、カムフォロア８ａは係合突起９の二股の中間部分を通って係合突起９に干渉することなく閉戸方向へ通過することができる。レバー８の上端のカムフォロア８ａは、係合突起９を通過すると、傾斜板６のガイド面６ｃに当接して漸次に押し下げられていくので、レバー８が揺動し、レバー８の下端のカムフォロア８ｂがダンパ７を押圧し、ダンパ７による緩衝作用で閉戸速度が減速する。
【００３９】
戸板Ｄが図７に示す位置より例えばさらに５０ｍｍ移動し戸枠Ｆと戸板Ｄとの開戸寸法が例えば１２０ｍｍになるときの各部品の位置関係を図８に示す。この状態では、ロック部材１１の上端開戸側係合部１１ｄが係合突起９に当接し係合突起９によって持ち上げられる（図８において時計回りに回転される）ことになるので、図９に示すように、ロック部材１１のロック部１１ｂが樋状部材１０の係合部（孔）１０ｄから上に離脱し、ロック部材１１による樋状部材１０に対するロックが外れる。このため、引張ばね１２の復元力により樋状部材１０が閉戸方向に移動を開始し、引張ばね１２の復元力が閉戸方向のアシスト力になってランナー部材３に伝わる。
【００４０】
レバー８の上端のカムフォロア８ａが傾斜板６のガイド面６ｃに案内される終点に到達するまでは、カムフォロア８ａがガイド面６ｃによって徐々に押し下げられるため、レバー８が揺動し、レバー８の下端のカムフォロア８ｂがダンパ７を押圧し、ダンパ７がスタビライザー１３の上端１３ｂを押圧し、スタビライザー１３の二股アーム部１３ａが戸板取付部材４を押圧する。これにより、戸板Ｄの跳ね上がりを抑えることができる。レバー８の上端のカムフォロア８ａが傾斜板６のガイド面６ｃに案内される終点に到達した後は、戸板Ｄから手を放しても引張ばね１２の復元力が閉戸方向のアシスト力となって全閉状態まで閉戸し、図１に示す状態になる。
【００４１】
一方、図１に示す全閉状態から戸板Ｄを開いていくと、レバー８の上端のカムフォロア８ａがガイド面６ｃに案内される時点よりダンパ７の復元力でレバー８が揺動していく。戸板Ｄを開いていくことに伴い樋状部材１０が移動していく過程で、引張ばね１２が伸張していき付勢力を高める。図１０に示す位置関係になり、ロック部材１１のロック部１１ｂが樋状部材１０の係合部（孔）１０ｄに対応すると、ロック部材１１が図において反時計回りに揺動し、ロック部１１ｂが係合部（孔）１０ｄに落ち込んで係合し、上端閉戸側係合部１１ｃも下方に移動するため、係合突起９とロック部材１１との係合が解除される。これ以降、戸板Ｄを自由に開いていくことができる。
【符号の説明】
【００４２】
１  建具用ランナー
Ｆ  戸枠
Ｄ  戸板
Ｒ  ガイドレール
２  ガイドローラ
３  ランナー部材
３ａ  収容部
４  戸板取付部材
５  支軸
Ａ  減速機構
Ｂ  スライドアシスト機構
６  傾斜板
６ｃ  ガイド面
７  ダンパ
８  レバー
９  係合突起
１０  樋状部材
１０ａ  両側部
１０ｂ  ガイドスリット
１０ｃ  底部
１０ｄ  係合部
１１  ロック部材
１２  引張ばね
１３  スタビライザー
１３ａ  二股アーム部（下端）
【図１】
0005697409.tif 000002
【図２】
0005697409.tif 000003
【図３】
0005697409.tif 000004
【図４】
0005697409.tif 000005
【図５】
0005697409.tif 000006
【図６】
0005697409.tif 000007
【図７】
0005697409.tif 000008
【図８】
0005697409.tif 000009
【図９】
0005697409.tif 000010
【図１０】
0005697409.tif 000011